(57)【特許請求の範囲】
【請求項１】
少なくとも二次電池を駆動電源とする携帯端末であって、
所定の放送コンテンツの記録開始日時および記録終了日時を含む予約情報を管理する記録スケジュール管理手段と、
前記予約情報に基づいて前記所定の放送コンテンツを記録する記録手段と、
前記二次電池の残容量を検出する電池残量検出手段と、
前記予約情報に基づいて前記所定の放送コンテンツの記録に要する前記二次電池の記録所要容量を算出し、前記残容量と前記記録所要容量とを比較して、前記残容量が前記記録所要容量よりも小さいか否かを判定し、前記残容量が前記記録所要容量よりも小さいと判定した場合には、前記記録所要容量に対する前記残容量の不足容量を算出する電池容量判定手段と、
前記記録開始日時までに前記不足容量の充電が終了するように、充電開始日時を提案する充電スケジュール提案手段と、を備える携帯端末。
【請求項２】
少なくとも二次電池を駆動電源とする携帯端末であって、
所定の放送コンテンツの記録開始日時および記録終了日時を含む予約情報を管理する記録スケジュール管理手段と、
前記予約情報に基づいて前記所定の放送コンテンツを記録する記録手段と、
前記二次電池の残容量を検出する電池残量検出手段と、
前記予約情報に基づいて、前記所定の放送コンテンツの記録に要する前記二次電池の記録所要容量と、前記記録開始日時までに使用する前記二次電池の使用予定容量とを算出し、前記残容量からの前記使用予定容量の差分と前記記録所要容量とを比較して、前記差分が前記記録所要容量よりも小さいか否かを判定し、前記差分が前記記録所要容量よりも小さいと判定した場合には、前記記録所要容量に対する前記差分の不足容量を算出する電池容量判定手段と、
前記記録開始日時までに前記不足容量の充電が終了するように、充電開始日時を提案する充電スケジュール提案手段と、を備える携帯端末。
【請求項３】
前記充電スケジュール提案手段は、現在の時刻を前記充電開始日時として提案する、請求項１または２に記載の携帯端末。
【請求項４】
前記充電開始日時を提示する、充電スケジュール提示手段をさらに備える、請求項１から３のいずれかに記載の携帯端末。
【請求項５】
前記充電スケジュール提示手段は、表示素子を含む、請求項４に記載の携帯端末。
【請求項６】
前記表示素子は、前記充電開始日時から所定の時間だけ前に前記充電開始日時を表示する、請求項５に記載の携帯端末。
【請求項７】
前記充電スケジュール提示手段は、スピーカを含む、請求項４に記載の携帯端末。
【請求項８】
前記スピーカは、前記充電開始日時から所定の時間だけ前に音を鳴らす、請求項７に記載の携帯端末。
【請求項９】
少なくとも二次電池を駆動電源とする携帯端末を用いた放送コンテンツの記録予約方法であって、
所定の放送コンテンツの記録開始日時および記録終了日時を含む予約情報を管理する工程と、
前記予約情報に基づいて前記所定の放送コンテンツを記録する工程と、
前記二次電池の残容量を検出する工程と、
前記予約情報に基づいて前記所定の放送コンテンツの記録に要する前記二次電池の記録所要容量を算出し、前記残容量と前記記録所要容量とを比較して、前記残容量が前記記録所要容量よりも小さいか否かを判定し、前記残容量が前記記録所要容量よりも小さいと判定した場合には、前記記録所要容量に対する前記残容量の不足容量を算出する工程と、
前記記録開始日時までに前記不足容量の充電が終了するように、充電開始日時を提案する工程と、を備える放送コンテンツの記録予約方法。
【請求項１０】
少なくとも二次電池を駆動電源とする携帯端末を用いた放送コンテンツの記録予約方法であって、
所定の放送コンテンツの記録開始日時および記録終了日時を含む予約情報を管理する工程と、
前記予約情報に基づいて前記所定の放送コンテンツを記録する工程と、
前記二次電池の残容量を検出する工程と、
前記予約情報に基づいて、前記所定の放送コンテンツの記録に要する前記二次電池の記録所要容量と、前記記録開始日時までに使用する前記二次電池の使用予定容量とを算出し、前記残容量からの前記使用予定容量の差分と前記記録所要容量とを比較して、前記差分が前記記録所要容量よりも小さいか否かを判定し、前記差分が前記記録所要容量よりも小さいと判定した場合には、前記記録所要容量に対する前記差分の不足容量を算出する工程と、
前記記録開始日時までに前記不足容量の充電が終了するように、充電開始日時を提案する工程と、を備える放送コンテンツの記録予約方法。
【請求項１１】
前記充電開始日時を提示する工程をさらに備える、請求項９または１０に記載の放送コンテンツの記録予約方法。
【発明の詳細な説明】
【技術分野】
【０００１】
本発明は二次電池を駆動電源とする携帯端末に関し、特に、テレビ放送やラジオ放送の録音および／または録画機能を備える携帯端末に関する。
【背景技術】
【０００２】
近年、携帯電話端末の多機能化がすすみ、通話機能や電子メールの送受信機能以外に、テレビ放送やラジオ放送などを受信する機能や、受信した放送番組を記録するメモリ機能が備えられている。例えば特許文献１は、デジタルテレビ放送の受信および録画機能を備えた携帯電話端末を開示している。携帯電話端末は、一般に、二次電池を駆動電源としている。なお、以下の説明で、テレビ放送を「録画」するとは、テレビ放送の映像を録画し、さらにテレビ放送の音声を録音することを含む場合がある。
【特許文献１】特開２００５―５７７００号公報
【発明の開示】
【発明が解決しようとする課題】
【０００３】
しかしながら、放送コンテンツの受信や記録（例えば録音および／または録画）には、比較的大きな電池容量を要するので、録音および／または録画の予定終了日時前に二次電池の容量を消費し、録画が終了してしまう（例えば放送番組の途中で録画が停止してしまう）という問題がある。
【０００４】
なお、上記の問題は、携帯電話端末に限らず、二次電池を駆動電源として、放送コンテンツを受信および記録できる様々な携帯端末に共通の問題である。
【０００５】
本発明は上記課題に鑑みてなされたものであり、二次電池の容量不足に起因して放送コンテンツを記録し損なうのを抑制できる携帯端末、および、放送コンテンツの記録予約方法を提供することを目的とする。
【課題を解決するための手段】
【０００６】
本発明の一実施形態の携帯端末は、少なくとも二次電池を駆動電源とする携帯端末であって、所定の放送コンテンツの記録開始日時および記録終了日時を含む予約情報を管理する記録スケジュール管理手段と、前記予約情報に基づいて前記所定の放送コンテンツを記録する記録手段と、前記二次電池の残容量を検出する電池残量検出手段と、前記予約情報に基づいて前記所定の放送コンテンツの記録に要する前記二次電池の記録所要容量を算出し、前記残容量と前記記録所要容量とを比較して、前記残容量が前記記録所要容量よりも小さいか否かを判定し、前記残容量が前記記録所要容量よりも小さいと判定した場合には、前記記録所要容量に対する前記残容量の不足容量を算出する電池容量判定手段と、前記記録開始日時までに前記不足容量の充電が終了するように、充電開始日時を提案する充電スケジュール提案手段と、を備える。従って、二次電池の容量不足に起因して放送コンテンツを記録し損なうのを抑制できる。
【０００７】
本発明の他の実施形態の携帯端末は、少なくとも二次電池を駆動電源とする携帯端末であって、所定の放送コンテンツの記録開始日時および記録終了日時を含む予約情報を管理する記録スケジュール管理手段と、前記予約情報に基づいて前記所定の放送コンテンツを記録する記録手段と、前記二次電池の残容量を検出する電池残量検出手段と、前記予約情報に基づいて、前記所定の放送コンテンツの記録に要する前記二次電池の記録所要容量と、前記記録開始日時までに使用する前記二次電池の使用予定容量とを算出し、前記残容量からの前記使用予定容量の差分と前記記録所要容量とを比較して、前記差分が前記記録所要容量よりも小さいか否かを判定し、前記差分が前記記録所要容量よりも小さいと判定した場合には、前記記録所要容量に対する前記差分の不足容量を算出する電池容量判定手段と、前記記録開始日時までに前記不足容量の充電が終了するように、充電開始日時を提案する充電スケジュール提案手段と、を備える。従って、二次電池の容量不足に起因して放送コンテンツを記録し損なうのを抑制できる。
【０００８】
前記充電スケジュール提案手段は、現在の時刻を前記充電開始日時として提案してもよい。
【０００９】
前記充電開始日時を提示する充電スケジュール提示手段をさらに備えていてもよい。この場合、ユーザが、より確実に、充電開始日時等を知ることができ、その充電開始日時に二次電池の充電を行うことができるので、電池容量不足に起因して放送コンテンツを記録し損なうのをさらに抑制できる。
【００１０】
前記充電スケジュール提示手段が表示素子を含んでもよい。この場合、ユーザは表示素子を見て充電開始日時等を知ることができる。
【００１１】
前記表示素子は、前記充電開始日時から所定の時間だけ前に前記充電開始日時を表示することが好ましい。この場合、ユーザが、予め充電開始日時等を知ることができ、その充電開始日時に二次電池の充電を行うことができるので、電池容量不足に起因して放送コンテンツを記録し損なうのをさらに抑制できる。
【００１２】
前記充電スケジュール提示手段は、スピーカを含んでもよい。この場合、音声によって充電開始日時をユーザに提示することができる。
【００１３】
前記スピーカは、前記充電開始日時から所定の時間だけ前に音を鳴らしてもよい。この場合、ユーザの注意を引くことができるので、より確実に電池容量不足に起因して放送コンテンツを記録し損なうのを抑制できる。
【００１４】
本発明の一実施形態の放送コンテンツの記録予約方法は、少なくとも二次電池を駆動電源とする携帯端末を用いた放送コンテンツの記録予約方法であって、所定の放送コンテンツの記録開始日時および記録終了日時を含む予約情報を管理する工程と、前記予約情報に基づいて前記所定の放送コンテンツを記録する工程と、前記二次電池の残容量を検出する工程と、前記予約情報に基づいて前記所定の放送コンテンツの記録に要する前記二次電池の記録所要容量を算出し、前記残容量と前記記録所要容量とを比較して、前記残容量が前記記録所要容量よりも小さいか否かを判定し、前記残容量が前記記録所要容量よりも小さいと判定した場合には、前記記録所要容量に対する前記残容量の不足容量を算出する工程と、前記記録開始日時までに前記不足容量の充電が終了するように、充電開始日時を提案する工程と、を備える。従って、二次電池の容量不足に起因して放送コンテンツを記録し損なうのを抑制できる。
【００１５】
本発明の他の実施形態の放送コンテンツの記録予約方法は、少なくとも二次電池を駆動電源とする携帯端末を用いた放送コンテンツの記録予約方法であって、所定の放送コンテンツの記録開始日時および記録終了日時を含む予約情報を管理する工程と、前記予約情報に基づいて、前記所定の放送コンテンツを記録する工程と、前記二次電池の残容量を検出する工程と、前記予約情報に基づいて、前記所定の放送コンテンツの記録に要する前記二次電池の記録所要容量と、前記記録開始日時までに使用する前記二次電池の使用予定容量とを算出し、前記残容量からの前記使用予定容量の差分と前記記録所要容量とを比較して、前記差分が前記記録所要容量よりも小さいか否かを判定し、前記差分が前記記録所要容量よりも小さいと判定した場合には、前記記録所要容量に対する前記差分の不足容量を算出する工程と、前記記録開始日時までに前記不足容量の充電が終了するように、充電開始日時を提案する工程と、を備える。従って、二次電池の容量不足に起因して放送コンテンツを記録し損なうのを抑制できる。
【００１６】
前記充電開始日時を提示する工程をさらに備えてもよい。この場合、ユーザが、より確実に、充電開始日時等を知ることができ、その充電開始日時に二次電池の充電を行うことができるので、電池容量不足に起因して放送コンテンツを記録し損なうのをさらに抑制できる。
【発明の効果】
【００１７】
本発明の携帯端末は、所定の放送コンテンツを記録するために、二次電池の残容量が不足しているか否かを概算的に判定し、不足していると判定した場合には、放送コンテンツの記録開始日時までに充電が終了するように充電開始日時を提案するので、二次電池の容量不足に起因して放送コンテンツを記録し損なうのを抑制できる。
【発明を実施するための最良の形態】
【００１８】
以下、図面を参照しながら本発明の実施形態を説明する。
【００１９】
図１は、本発明の一実施形態の携帯端末１００の構成を模式的に示すブロック図である。
【００２０】
携帯端末１００は、二次電池２００を駆動電源とする。二次電池とは、繰り返し充放電可能な充電式電池である。二次電池は、例えば、リチウムイオン電池、鉛蓄電池、ニッケルカドミウム電池、およびニッケル水素電池を含む。
【００２１】
携帯端末１００は、テレビ放送やラジオ放送などの放送コンテンツを、予め、開始日時および終了日時を指定して記録（例えば録音および／または録画）できる端末である。携帯端末１００は、携帯電話や、ＰＤＡ（Ｐｅｒｓｏｎａｌ  Ｄｉｇｉｔａｌ  Ａｓｓｉｓｔａｎｃｅ、個人用の携帯情報端末機）、ノートパソコン、携帯ゲーム機器などの様々な端末を含む。
【００２２】
図１に示すように、携帯端末１００は、記録スケジュール管理手段２０と、記録手段３０と、電池残量検出手段４０と、電池容量判定手段５０と、充電スケジュール提案手段６０とを有する。図１は、二次電池２００も合わせて示す。
【００２３】
記録スケジュール管理手段２０は、所定の放送コンテンツの記録開始日時および記録終了日時を含む予約情報を管理する。記録スケジュール管理手段２０は、記録スケジュールテーブルを有していてもよい。
【００２４】
図２は、テレビ放送を録画するための録画スケジュールテーブルの一例である。図２に示す録画スケジュールテーブルは、例えば、録画を希望する録画開始日時、録画終了日時、チャンネル、録画モード、優先度、および番組名の情報を含む。録画モードとは、どれくらいの画質で録画するかを設定するモードである。図２では、録画モードは、例えば、Ｈｉｇｈ（高）、Ｍｉｄｄｌｅ（中間）、Ｌｏｗ（低）の３段階を有する。録画モードによって録画に要する電池容量が異なり、録画モードが高いほど録画に多くの電池容量を要する。優先度は、録画の必要性が高い順につけられた順位である。図２では、優先度は、高、中、低の３段階を有する。
【００２５】
記録スケジュール管理手段２０は、ＥＰＧ（Ｅｌｅｃｔｒｉｃ  Ｐｒｏｇｒａｍ  Ｇｕｉｄｅ（電子番組表、登録商標））を用いた録画予約機能を有していても良い。ＥＰＧ録画予約機能を有してれば、例えば、自動的に配信された放送番組表を表示し、録画したい番組名を選択するだけで、所定の放送コンテンツの記録開始日時および記録終了日時を含む予約情報を取得できる。
【００２６】
記録手段３０は、記録スケジュール管理手段２０に接続されている。記録手段３０は、記録スケジュール管理手段２０の指示に基づいて、所定の放送コンテンツを記録する。すなわち、記録手段３０は、記録スケジュール管理手段２０の予約情報に含まれる記録開始日時から記録終了日時までの間、所定の放送コンテンツを記録する機能を有する。記録手段３０は、少なくとも放送コンテンツを記録するためのアプリケーションを含むが、記憶装置を含む必要はない。記憶装置として、携帯端末に差し替え可能な記録媒体（例えばメモリカード）を用いることができる。メモリカードは、例えばコンパクトフラッシュ（登録商標）、スマートメディア、ＳＤ（登録商標）メモリカード、およびメモリースティックを含む。
【００２７】
もちろん、記録手段３０は記録装置を含んでもよい。例えば携帯端末が記憶装置として、内蔵メモリまたは内蔵ハードディスクを有する場合、この内蔵メモリまたは内蔵ハードディスクに所定の放送コンテンツを記録することができる。
【００２８】
図３は、携帯端末１００の二次電池２００の充電処理の一例を説明するためのフローチャートである。以下、図１および図３を参照しながら、電池残量検出手段４０、電池容量判定手段５０および充電スケジュール提案手段６０と、これらを用いた充電処理を説明する。
【００２９】
なお、以下に説明する二次電池２００の充電処理を行うタイミングは、特に限定されない。例えば、所定の放送コンテンツの記録を予約した直後に行う。これにより、予約時に充電スケジュールを知ることができる。あるいは、所定の時間毎（例えば３時間毎）に定期的に行ってもよい。あるいは、携帯端末の充電が終了した後や、携帯端末で実行していたゲームなどのアプリケーションが終了した後に行ってもよい。また、二次電池２００の充電が完了したときに行ってもよい。本実施形態の携帯端末を携帯電話に適用する場合には、通話が終了したときに行ってもよい。上記によれば、二次電池２００の電池容量の変化を反映させた、より信頼性の高い充電スケジュールを知ることができる。
【００３０】
図１に示すように、電池残量検出手段４０は二次電池２００に接続されている。図３のステップＳ５０２において、電池残量検出手段４０は、二次電池２００の現在の残容量（Ａ）を検出する。電池残量検出手段４０は、例えば電圧計測回路を含む。電池残量検出手段４０は、電圧計測回路によって検出した二次電池２００の充電電圧値（単位：ボルト（Ｖ））と放電電圧値（単位：ボルト（Ｖ））との差分に基づいて、二次電池２００の現在の残容量（単位：クーロン（Ｃ））をリアルタイムで算出する。
【００３１】
図１に示すように、電池容量判定手段５０は、電池残量検出手段４０と記録スケジュール管理手段２０とに接続されている。
【００３２】
図３のステップＳ５０４およびステップＳ５０６において、電池容量判定手段５０は、記録スケジュール管理手段２０が管理する予約情報に基づいて、所定の放送コンテンツの記録に要する二次電池の記録所要容量（Ｂ）と、記録開始日時までに使用される二次電池の使用予定容量（Ｃ）とを算出する。
【００３３】
以下、所定の放送コンテンツの記録に要する二次電池の記録所要容量（Ｂ）、および、記録開始日時までに使用される二次電池の使用予定容量（Ｃ）の算出方法をより具体的に説明する。
【００３４】
まず、記録所要容量（Ｂ）の算出方法を説明する。
【００３５】
電池容量判定手段５０は、記録スケジュール管理手段２０が管理する予約情報に含まれる記録開始日時と記録終了日時とから記録時間を算出する。記録スケジュール管理手段２０が管理する予約情報は、例えば、図２に例示した録画スケジュールテーブルから得る。上記記録時間に第１平均電池容量を乗算し、所定の放送コンテンツの記録に要する二次電池の記録所要容量（Ｂ）を算出する（Ｓ５０４）。第１平均電池容量は、所定の放送コンテンツを記録するために時間当たりに要する電池容量（Ｃ／ｓ）をいう。第１平均電池容量は、例えば、所定の放送コンテンツを受信するために時間当たり要する電池容量と、所定の放送コンテンツのデータを記録媒体に書き込むために時間当たり要する電池容量（Ｃ／ｓ）と、携帯端末の電源をＯＮ状態にするために時間当たり要する電池容量とを含む。携帯端末の電源をＯＮ状態にするために時間当たり要する電池容量とは、例えば、携帯電話端末が待ち受け状態（電話がいつでも送受信可能である状態）にあるときの時間当たりに要する電池容量である。
【００３６】
第１平均電池容量は、例えば、携帯端末の工場出荷時に携帯端末に設定される。あるいは、電池容量判定手段５０が所定の計算ルーチンを有し、適宜、第１平均電池容量を算出しても良い。例えば、待ち受け状態にある携帯端末の所定時間の電池使用容量を検出し、その電池使用容量を所定時間で除算し、第１平均電池容量を算出する。
【００３７】
記録所要容量（Ｂ）を算出する際に、記録スケジュール管理手段２０が有する記録スケジュールを考慮しても良い。具体的には、例えば、記録スケジュール管理手段２０が図２に示した録画スケジュールテーブルを有する場合、録画モードがＨｉｇｈ、Ｍｉｄｌｅ、およびＬｏｗの順に第１平均電池容量が小さくなるように設定する。
【００３８】
次に、使用予定容量（Ｃ）の算出方法を説明する。
【００３９】
電池容量判定手段５０は、現在の日時から記録開始日時までの時間と、第２平均電池容量とを乗算し、現在の日時から記録開始日時までに使用される二次電池の使用予定容量（Ｃ）を算出する（Ｓ５０６）。第２平均電池容量とは、携帯端末の電源をＯＮ状態にするために時間当たり要する電池容量（Ｃ／ｓ）をいう。第２平均電池容量は、上述した第１平均電池容量と同様に、例えば、携帯端末の工場出荷時に携帯端末に設定される。あるいは、電池容量判定手段５０が所定の計算ルーチンを有し、適宜、第２平均電池容量を算出しても良い。
【００４０】
なお、複数の放送コンテンツを記録することが、記録スケジュール管理手段２０の予約情報に含まれている場合であって、２回目以降の記録に関する二次電池の使用予定容量（Ｃ）を算出する場合には、上記第１平均電池容量および第２平均電池容量の両方を適宜用いることが好ましい。
【００４１】
以上説明したように、電池容量判定手段５０は、所定の放送コンテンツの記録に要する二次電池の記録所要容量（Ｂ）を算出し（Ｓ５０４）、記録開始日時までに使用される二次電池の使用予定容量（Ｃ）を算出する（Ｓ５０６）。
【００４２】
図３のステップＳ５０８において、電池容量判定手段５０は、所定の放送コンテンツを記録するのに二次電池の充電が必要か否かを判定する。
【００４３】
すなわち、電池容量判定手段５０は、上記所定の放送コンテンツの記録に要する二次電池の記録所要容量（Ｂ）、および、記録開始日時までに使用される二次電池の使用予定容量（Ｃ）と、電池残量検出手段４０によって得られた二次電池の現在の残容量（Ａ）とを用いて、二次電池の現在の残容量（Ａ）から使用予定容量（Ｃ）の差分（Ａ−Ｃ）を算出し、この差分（Ａ−Ｃ）と記録所要容量（Ｂ）とを比較する。比較した結果、差分（Ａ−Ｃ）が記録所要容量（Ｂ）よりも小さいか否かを判定する。
【００４４】
上記差分（Ａ−Ｃ）が記録所要容量（Ｂ）よりも小さい（（Ａ−Ｃ）＜Ｂ）と判定した場合（Ｓ５０８：Ｙｅｓ）、所定の放送コンテンツを記録開始日時から記録終了日時まで完全に記録するには二次電池２００を充電しなければならないと判定する。この場合、電池容量判定手段５０は、図３のステップＳ５１０において、二次電池２００の不足容量（Ｂ−（Ａ−Ｃ））を算出する。なお、後で説明するが、二次電池２００の不足容量をＢ−Ａとして算出してもよい。
【００４５】
一方、電池容量判定手段５０が、差分（Ａ−Ｃ）と記録所要容量（Ｂ）とを比較し、上記差分（Ａ−Ｃ）が、記録所要容量（Ｂ）よりも大きいか、または等しい（（Ａ−Ｃ）≧Ｂ）と判定した場合（Ｓ５０８：Ｎｏ）、二次電池２００を充電しなくても所定のコンテンツを記録開始日時から記録終了日時まで完全に記録することができると判定する。この場合、二次電池２００の充電は不要と判定されるので、ステップＳ５１６に移行し、携帯端末１００は記録開始日時まで待機する。
【００４６】
なお、電池容量判定手段５０は、現在の日時から記録開始日時までに使用される二次電池の使用予定容量（Ｃ）を算出しなくてもよい。すなわち図３のステップＳ５０６を行わなくてもよい。この場合、電池容量判定手段５０は、ステップＳ５０８において、残容量（Ａ）と記録所要容量（Ｂ）とを比較し、二次電池の現在の残容量（Ａ）が記録所要容量（Ｂ）よりも小さいか否かを判定する。
【００４７】
残容量（Ａ）が記録所要容量（Ｂ）よりも小さい（Ａ＜Ｂ）と判定された場合、所定の放送コンテンツを記録開始日時から記録終了日時まで記録するには二次電池２００を充電しなければならないと判定する。この場合、電池容量判定手段５０は、図３のステップＳ５１０において、二次電池２００の不足容量（Ｂ−Ａ）を算出する。
【００４８】
一方、残容量（Ａ）が記録所要容量（Ｂ）よりも大きいか、または等しい（Ａ≧Ｂ）と判定された場合、所定の放送コンテンツを記録開始日時から記録終了日時まで記録するには二次電池２００の充電は不要と判定されるので、携帯端末１００は記録開始日時まで待機する。
【００４９】
使用予定容量（Ｃ）を考慮しない上記の処理方法は、図３に示した処理方法に比べて正確性が劣る。しかしながら、使用予定容量（Ｃ）は記録所要容量（Ｂ）に比べてはるかに小さい（Ｃ≪Ｂ）ので、上記の処理方法は、放送コンテンツの記録に際して充電の必要性を大まかに概算するのには十分であり、判定方法が簡易であるというメリットがある。
【００５０】
次に、充電スケジュール提案手段６０は、ステップＳ５１２およびＳ５１４において、記録開始日時までに不足容量の充電が終了するように、不足容量の充電開始日時を提案する。
【００５１】
以下、充電開始日時の提案方法をより具体的に説明する。
【００５２】
上述したように、充電開始日時の提案する前に予め、電池容量判定手段５０は図３のステップＳ５１０において二次電池２００の不足容量（Ｂ−（Ａ−Ｃ））または、（Ｂ−Ａ）を算出する。
【００５３】
図１に示すように、充電スケジュール提案手段６０は電池容量判定手段５０に接続されている。充電スケジュール提案手段６０は、図３のステップＳ５１２に示すように、上記不足容量を充電するのに要する時間を算出する。充電所要時間は、例えば、不足容量を二次電池２００の単位時間当たりの充電容量（単位：Ｃ／ｓ）で除算して得る。二次電池２００の単位時間当たりの充電容量は、例えば、使用する二次電池のタイプに固有の値に設定される。
【００５４】
次に、図３のステップＳ５１４において、ステップＳ５１２で得られた充電所要時間に基づいて、記録開始日時までに不足容量の充電が終了するように、不足容量の充電開始日時を提案する。すなわち、充電スケジュール提案手段６０は、遅くとも、記録開始日時から、不足容量の充電所要時間前の日時を、充電開始日時として提案する。現在の日時から記録開始日時までの時間が、不足容量の充電所要時間よりも長い場合、充電スケジュール提案手段６０は、現在の日時を充電開始日時として提案しても良い。
【００５５】
なお、充電スケジュール提案手段６０は、充電開始日時を提案すると共に、充電終了日時および／または充電所要時間を提案しても良い。
【００５６】
充電スケジュール提案手段６０は、充電開始日時を記載した充電スケジュールテーブルを作成しても良い。充電スケジュールテーブルの一例を図４に示す。図４の充電スケジュールテーブルは、充電開始日時、充電終了日時および、充電所要時間の情報を含む。
【００５７】
以上説明したように、充電スケジュール提案手段６０は不足容量の充電開始日時を提案する。
【００５８】
なお、図３に示したフローチャートでは、ステップＳ５０２、Ｓ５０４、Ｓ５０６の順に各工程を行っているが、ステップＳ５０２、Ｓ５０４およびＳ５０６を行う順序はこれに限らず、いかなる順序で行っても良い。
【００５９】
以上説明したように、本発明の携帯端末１００は、二次電池２００の容量不足に起因して、所定の放送コンテンツの記録を完全に行うことができないと予測される場合に、二次電池の不足容量の充電開始日時を提案することができる。したがって、携帯端末のユーザは、上記提案に従って、記録開始日時に先立って二次電池の充電を行うことができ、電池容量不足に起因して放送コンテンツを記録し損なうのを抑制できる。
【００６０】
本発明の携帯端末１００は、さらに、充電スケジュール提案手段６０によって提案された充電開始日時を提示する、充電スケジュール提示手段を備えていてもよい。充電スケジュール提示手段は、充電スケジュール提案手段６０によって提案された充電開始日時を提示する機能を有する。充電スケジュール提示手段は、さらに、充電終了日時を提示しても良い。
【００６１】
充電スケジュール提示手段は、例えば、液晶ディスプレイや有機ＥＬディスプレイなどの表示素子を含む。上記表示素子は、例えば文字表示によって充電開始日時をユーザに提示することができる。表示素子は、充電開始日時から所定の時間だけ前に、充電開始日時を表示することができる。なお、以下の説明で、充電開始日時から所定の時間だけ前の日時を、アラーム日時と称する場合がある。
【００６２】
図５に、表示素子を用いた充電スケジュール提示手段を例示する。図５（ａ）は、待ち受け状態の表示素子の表示画面を例示する。表示素子は、図５（ｂ）に示すように、充電開始日時の５分前に表示画面上に「充電開始まで残り５分です。充電準備してください。」という表示を行い、さらに、充電開始日時および充電終了日時を表示する。
【００６３】
携帯端末のユーザは上記表示を見て充電スケジュール提案手段６０によって提案された充電開始日時等を知ることができ、その充電開始日時に二次電池の充電を行うことができるので、放送コンテンツの記録開始日時前に電池の充電を終了できる。結果として、電池容量不足に起因して放送コンテンツを記録し損なうのをより確実に抑制できる。
【００６４】
また、ポップアップを用いて充電開始日時をユーザに提示すれば、ユーザの注意を引くことができるので、より確実に、電池容量不足に起因して放送コンテンツを記録し損なうのを抑制できる。
【００６５】
また、充電スケジュール提示手段は、スピーカを含んでも良い。スピーカは、音声によって充電開始日時をユーザに提示することができる。また、例えば充電開始日時から所定の時間だけ前に音（例えば、警告音）を鳴らせば、ユーザの注意を引くことができるので、より確実に電池容量不足に起因して放送コンテンツを記録し損なうのを抑制できる。
【００６６】
充電スケジュール提示手段は、充電開始日時の情報を含む提示スケジュールテーブルを作成しても良い。提示スケジュールテーブルの一例を図６に示す。図６の提示スケジュールテーブルは、提示日時、提示事項、提示方法、および処理結果の情報を含む。
【００６７】
以下、実施例を説明する。以下では、携帯電話端末を例示して本発明の実施形態の携帯端末を説明するが、本発明はこれに限定されない。
【００６８】
図７は、携帯電話端末１０２の構成を模式的に示すブロック図である。
【００６９】
携帯電話端末１０２は、少なくともリチウムイオン電池２０２を駆動電源として含む。また、携帯電話端末１０２は、テレビ放送を受信し、受信した放送コンテンツをメモリカード３００に録画することができる。メモリカード３００は、携帯端末１０２に差し替え可能な記録媒体である。図７は、リチウムイオン電池２０２およびメモリカード３００も合わせて示す。なお、図７の携帯電話端末１０２において、図１に示した携帯端末１００の構成要素と同様の機能を有する構成要素については同じ参照符号を付し、説明を省略する。
【００７０】
携帯電話端末１０２は、記録スケジュール管理手段２０と、記録手段３０と、電池残量検出手段４０と、電池容量判定手段５０と、充電スケジュール提案手段６０と、充電スケジュール提示手段８０と、放送受信手段９０とを有する。
【００７１】
記録スケジュール管理手段２０は、録画開始日時と録画終了日時の情報とを含む録画スケジュールテーブル２２（図２参照）を有する。
【００７２】
放送受信手段９０は記録手段３０と記録スケジュール管理手段２０とに接続されている。放送受信手段９０は、テレビ放送を受信するためのアンテナ９２と、受信した放送信号に所定の信号処理を行って記録手段３０に出力するためのチューナ９４とを有する。放送受信手段９０は、記録スケジュール管理手段２０の予約情報に基づいて所定の放送コンテンツを受信する。
【００７３】
記録手段３０は、メモリカード３００と、記録スケジュール管理手段２０と、放送受信手段９０とに接続されている。記録手段３０は、記録スケジュール管理手段２０の予約情報に基づいて、放送受信手段９０によって受信された所定の放送コンテンツをメモリカード３００に録画する。
【００７４】
電池容量判定手段５０は、図３を参照して説明したように、所定の放送コンテンツをメモリカード３００に録画するのに電池２０２の残容量が不足しているか否かを判定する。電池容量判定手段５０によって残容量が不足していると判定された場合、充電スケジュール提案手段６０は、充電開始日時を提案する。充電スケジュール提案手段６０は、充電開始日時および充電終了日時を記載した充電スケジュールテーブル６２（図４参照）を有する。
【００７５】
充電スケジュール提示手段８０は、表示素子８２およびスピーカ８４を有する。また、充電スケジュール提示手段８０は、充電開始日時の情報を含む提示スケジュールテーブル８６（図６参照）を有する。
【００７６】
充電スケジュール提示手段８０は、充電スケジュール提案手段６０に接続されている。充電スケジュール提案手段６０は時刻を計測する機能を有し、充電開始日時や、充電終了日時、アラーム日時等に到達したか否かを判定する。現在の日時が上記日時に到達した場合、充電スケジュール提案手段６０は、充電スケジュール提示手段８０に所定の提示を行うように通知する。充電スケジュール提示手段８０は、上記通知に基づいて、表示素子８２およびスピーカ８４を用いて所定の提示を行う。
【００７７】
以下、図８に示すフローチャートを参照しながら、携帯電話端末１０２を用いた放送コンテンツの録画方法を説明する。
【００７８】
ステップＳ２０２において、充電スケジュール提案手段６０は、アラーム日時（ここでは例えば５分前）に到達したか否かを判定する。アラーム日時に到達したと判定された場合（Ｓ２０２：Ｙｅｓ）ステップＳ２０４に移行し、アラーム日時に到達していないと判定された場合（Ｓ２０２：Ｎｏ）、再びステップＳ２０２に移行する。
【００７９】
ステップＳ２０４において、充電スケジュール提案手段６０の通知を受けて、充電スケジュール提示手段８０は、スピーカ８４を用いて警告音を鳴らすと共に、表示素子８２を用いて図５に示した表示を行う。
【００８０】
ステップＳ２０６において、充電スケジュール提案手段６０は、充電開始日時に到達したか否かを判定する。充電開始日時に到達したと判定された場合（Ｓ２０６：Ｙｅｓ）ステップＳ２０８に移行し、充電開始日時に到達していないと判定された場合（Ｓ２０６：Ｎｏ）、再びステップＳ２０６に移行する。
【００８１】
充電開始日時に到達したと判定された場合に（Ｓ２０６：Ｙｅｓ）、ステップＳ２０８において、電池２０２の充電がなされていれば（Ｓ２０８：Ｙｅｓ）、ステップＳ２１２に移行する。ステップＳ２０８において、電池２０２の充電がなされていなければ（Ｓ２０８：Ｎｏ）、ステップＳ２１０に移行する。
【００８２】
ステップＳ２１２において、電池残量検出手段４０は、所定の放送コンテンツを録画開始日時から終了日時まで録画するのに十分な電池容量が充電されているか否かを判定する。なお、録画開始日時および録画終了日時などの録画に関する情報は、記録スケジュール管理手段２０によって管理されている。十分な電池容量が充電されていると判定された場合、ステップＳ２１４に移行する。充電が十分でないと判定された場合には、再びステップＳ２１２に移行する。
【００８３】
ステップＳ２１４において、電池残量検出手段４０は、電池容量判定手段５０に充電が終了した旨を通知する。電池容量判定手段５０は、記録スケジュール管理手段２０に上記通知を送る。上記通知を受けたスケジュール管理手段２０は、録画スケジュールテーブルに記載されている予約情報に基づいて、記録手段３０に、所定の放送コンテンツをメモリカード３００に録画するように指示する。
【００８４】
ステップＳ２１６において、記録手段３０は、スケジュール管理手段２０からの指示に基づいて、放送受信手段９０によって受信した所定の放送コンテンツを、メモリカード３００に録画する。
【００８５】
ステップＳ２０８において、電池２０２の充電がなされていなければ（Ｓ２０８：Ｎｏ）、ステップＳ２１０に移行する。ステップＳ２１０において、記録スケジュール管理手段２０が管理する録画スケジュールを変更することができる。録画スケジュールの変更は、携帯端末のユーザが行ってもよいし、記録スケジュール管理手段２０が自動的に行っても良い。
【００８６】
録画スケジュールの変更は、例えば、録画の中止や、録画開始時間および／または終了時間の変更を含む。また、当初設定されていた録画モードを低くすること（例えばＨｉｇｈからＬｏｗに変更する。図２参照）も含む。記録スケジュール管理手段２０が自動的に録画スケジュールの変更を行う場合、例えば、優先度（記録スケジュール管理手段の予約情報に含まれる。図２参照）のより低い放送コンテンツの録画を選択的に中止するか、録画モードを低くすることができる。録画スケジュールを変更した場合、ステップＳ２０２に移行する。
【００８７】
以上説明したように、本実施例の携帯電話端末１０２は、所定の放送コンテンツを記録するために、二次電池の残容量が不足しているか否かを概算的に判定し、不足していると判定した場合には、放送コンテンツの記録開始日時までに充電が終了するように充電開始日時を提案するので、二次電池の容量不足に起因して放送コンテンツを記録し損なうのを抑制できる。
【産業上の利用可能性】
【００８８】
本発明は、二次電池を駆動電源として、放送コンテンツを記録できる、携帯電話や、ＰＤＡ、ノートパソコン、携帯ゲーム機器などの様々な端末に好適に利用される。
【図面の簡単な説明】
【００８９】
【図１】本発明の一実施形態の携帯端末１００の構成を模式的に示すブロック図
【図２】録画スケジュールテーブルの一例を示す図
【図３】携帯端末１００の二次電池２００の充電処理の一例を説明するためのフローチャート
【図４】充電スケジュールテーブルの一例を示す図
【図５】（ａ）および（ｂ）は表示素子を用いた充電スケジュール提示手段を例示する図
【図６】提示スケジュールテーブルの一例を示す図
【図７】実施例の携帯電話端末１０２の構成を模式的に示すブロック図
【図８】携帯電話端末１０２を用いた放送コンテンツの録画方法を説明するためのフローチャート
【符号の説明】
【００９０】
２０  記録スケジュール管理手段
３０  記録手段
４０  電池残量検出手段
５０  電池容量判定手段
６０  充電スケジュール提案手段
１００  携帯端末
２００  二次電池
【図１】
0004618161.tif 000002
【図２】
0004618161.tif 000003
【図３】
0004618161.tif 000004
【図４】
0004618161.tif 000005
【図５】
0004618161.tif 000006
【図６】
0004618161.tif 000007
【図７】
0004618161.tif 000008
【図８】
0004618161.tif 000009